(57)【要約】【課題】従来の点灯装置では、光源を取り換える毎に使用者がスイッチを操作して光源の種類を選択し、光源点灯装置が選択された光源の種類に適応した電流量の電流を供給するため、操作が煩わしいという問題があった。【解決手段】本発明は、電圧検出部が光源にかかる電圧を検出し、検出した電圧に基づいて制御部が電流供給回路から光源に供給する電流を制御するものである。本発明の光源点灯装置によれば、使用者がスイッチを操作して光源を選択することなく光源の種類が特定でき、特定された光源の種類に適応した電流量で制御部が電流供給回路から光源に供給される電流を制御することができる。【選択図】          図３
2018181574.tif 000002
【特許請求の範囲】
【請求項１】
光源が接続され、前記光源に電流を供給する電流供給回路と、
前記光源にかかる電圧を検出する電圧検出部と、
前記電圧検出部が検出した検出電圧に基づいて前記電流供給回路が供給する前記電流を制御する制御部と
を備える光源点灯装置。
【請求項２】
前記制御部は、前記電圧検出部が検出する電圧に対応する電流量が記憶された記憶部と、
前記記憶部を参照し、前記電圧検出部が検出した前記検出電圧に対応する前記電流量を前記電流供給回路が供給する前記電流の電流量として決定する処理部と
を備えることを特徴とする請求項１に記載の光源点灯装置。
【請求項３】
前記制御部は、前記光源の点灯時間を計時するタイマーを備え、
前記制御部は、前記電圧検出部が検出する電圧と前記タイマーが計時する点灯時間を累積した累積点灯時間とに対応した複数の電流量が記憶された記憶部と、
前記記憶部を参照し、前記電圧検出部が検出した前記検出電圧及び前記タイマーが計時した前記累積点灯時間に対応する前記電流量を前記電流供給回路が供給する前記電流の電流量として決定する処理部と
を備えることを特徴とする請求項１に記載の光源点灯装置。
【請求項４】
前記記憶部に記憶された複数の前記電流量は、前記累積点灯時間が長いほど大きいことを特徴とする請求項３に記載の光源点灯装置。
【請求項５】
前記制御部は、前記累積点灯時間を予め設定された時間にリセットさせるリセット手段を備えることを特徴とする請求項３または請求項４に記載の光源点灯装置。
【請求項６】
前記リセット手段は、外部からリセット操作が入力された場合に、前記累積点灯時間をリセットさせることを特徴とする請求項５に記載の光源点灯装置。
【請求項７】
前記記憶部は、前記電圧検出部が検出した検出電圧を記憶し、
前記リセット手段は、前記電圧検出部が前記記憶部に記憶された検出電圧と異なる電圧を検出した場合に、前記累積点灯時間をリセットさせることを特徴とする請求項５に記載の光源点灯装置。
【発明の詳細な説明】
【技術分野】
【０００１】
本発明は光源点灯装置に関する。
【背景技術】
【０００２】
光源を点灯させる光源点灯装置には、１つの光源点灯装置に対して異なる種類の光源を接続して使用するものがある。光源の種類が異なると、光源が適当な明るさで点灯するために必要な電流量が異なるため、光源の種類に適応した電流量の電流を供給する必要がある。
【０００３】
接続される光源の種類に適応した電流量の電流を光源点灯装置から光源に供給するために、従来の光源点灯装置では使用者がスイッチを操作して光源の種類を選択し、光源点灯装置が選択された光源の種類に適応した電流量の電流を供給するものがあった（例えば、特許文献１）。
【先行技術文献】
【特許文献】
【０００４】
【特許文献１】特開２００６−１８５９２４号公報
【発明の概要】
【発明が解決しようとする課題】
【０００５】
従来の点灯装置では、光源を取り換える毎に使用者がスイッチを操作して光源を選択しなければならず、操作が煩わしいという問題があった。
【０００６】
本発明は、上記のような課題を解決するためになされたもので、光源の種類を変更した場合でも、使用者がスイッチを操作して光源を選択することなく光源の種類に適応した電流量の電流を供給できる光源点灯装置を得ることを目的とする。
【課題を解決するための手段】
【０００７】
本発明に係る光源点灯装置においては、電圧検出部が光源にかかる電圧を検出し、検出した電圧に基づいて制御部が電流供給回路から光源に供給する電流を制御する。
【発明の効果】
【０００８】
本発明によれば、電圧検出部が検出した光源にかかる電圧により光源の種類が特定でき、特定された光源の種類に適応した電流量で制御部が電流供給回路から光源に供給される電流を制御することができるため、使用者がスイッチを操作して光源を選択することなく、光源の種類に適応した電流量の電流を供給できる。
【図面の簡単な説明】
【０００９】
【図１】実施の形態１に係る光源点灯装置の斜視図
【図２】実施の形態１に係る光源点灯装置の概略構成を示す断面図
【図３】実施の形態１に係る光源点灯装置の回路図
【図４】異なる種類の光源の概略構成を示す構成図
【図５】記憶部が記憶するテーブル
【図６】実施の形態１に係る処理部の動作を示すフローチャート
【発明を実施するための形態】
【００１０】
実施の形態１．
以下、本発明の実施の形態について説明する。図１は本発明の実施の形態１に係る照明装置１００の斜視図、図２は照明装置１００の概略構成を示す断面図である。照明装置１００は、光源１０が照明器具２０に取り付けられて構成される。
【００１１】
図１に示すように、照明器具２０は筐体２１とソケット２２とを備える。筐体２１は長尺状に形成されており、天井等に取り付けられるものである。筐体２１には、天井に取付けられる取り付け面と反対側の面において、筐体２１の長手方向の両端にソケット２２が設けられている。このソケット２２に光源１０が着脱自在に取り付けられる。
さらに、照明器具２０内には図２に示すように光源点灯装置３０が設けられている。この光源点灯装置３０とソケット２２内部の電線が接続されており、光源点灯装置３０から駆動電流が光源１０に供給されて光源１０が点灯する。
【００１２】
光源１０は、カバー１１とＬＥＤモジュール１２と口金部１５とを備える。カバー１１は筒状に形成されており、両端部は開口している。カバー１１の内部にはＬＥＤモジュール１２が配置される。ＬＥＤモジュール１２は、長方形状の基板１３と、この基板１３に配設され、直列に接続された複数個のＬＥＤ１４で構成される。
【００１３】
光源１０のカバー１１の両端部には口金部１５が設けられ、口金部１５によりカバー１１の両端部に形成された開口が塞がれている。口金部１５はカバー１１内部から外部に突き出す端子を備えており、この端子とＬＥＤモジュール１２とは電気的に接続されている。光源１０を照明器具２０に装着すると、口金部１５の端子がソケット２２内部の電線と接続され、これらを介して照明器具２０の光源点灯装置３０からの駆動電流がＬＥＤモジュール１２に供給される回路が形成されるので、この状態で光源点灯装置３０を稼働すると光源１０が点灯するものである。
光源１０は照明器具２０に着脱可能に取り付けられるものであり、１つの照明器具２０に対して異なる種類の光源を接続して使用することができる。例えば、基板１３に配設されるＬＥＤ１４の数が異なる光源を、種類が異なる光源として接続することができる。
【００１４】
次に、図３に基づいて光源点灯装置３０の構成について説明する。図３は光源点灯装置３０の回路図である。
光源点灯装置３０は、入力側に接続された交流電源７０から交流電流を直流電流に変換して出力側に接続される光源１０に供給する電流供給回路４０と、この電流供給回路４０に接続される光源１０にかかる電圧を検出する電圧検出部５３と、この電圧検出部５３が検出した検出電圧に基づいて電流供給回路４０が供給する電流量を制御する制御部６０とを備えている。
【００１５】
電流供給回路４０は、交流電源７０から入力される交流電圧を整流する整流回路４１、この整流回路４１で整流された電圧を昇圧する昇圧チョッパ回路４２、この昇圧チョッパ回路４２で昇圧された電圧を降圧し、光源１０に定電流を供給する降圧チョッパ回路４３を備える。
【００１６】
降圧チョッパ回路４３の詳細について説明する。降圧チョッパ回路４３は、スイッチング素子４４と、ダイオード４５と、インダクタ４６と、コンデンサ４７とを備える。スイッチング素子４４にはドレイン端子、ソース端子、ゲート端子が設けられており、ドレイン端子は昇圧チョッパ回路４２の高電位側に接続される。ソース端子は、ダイオード４５のカソード端子及びインダクタ４６の一端に接続され、ダイオード４５とインダクタ４６とは並列に接続される。インダクタ４６には光源１０が接続されて光源１０に電流を供給する。
【００１７】
降圧チョッパ回路４３のコンデンサ４７には並列に電圧検出部５３としての抵抗４８及び抵抗４９が接続されている。なお、抵抗４８及び抵抗４９は直列に接続されている。電圧検出部５３は、降圧チョッパ回路４３に接続された光源１０にかかる電圧を検出するものであり、光源１０の両端にかかる電圧を分圧する抵抗４８、４９からなり、抵抗４８、４９の接続点５１の電位から分圧比に基づき光源１０にかかる電圧を検出するためのものである。
【００１８】
降圧チョッパ回路４３の低電位側には一端が光源１０から流れてくる電流を検出する電流検出部５４としての抵抗が直列に接続されている。この抵抗５０の電位から、光源１０を流れる電流を検出することができる。
【００１９】
制御部６０は、電圧検出部５３と電流検出部５４と接続され、電圧検出部５３が検出した検出電圧、電流検出部５４が検出した電流に基づいて、電流供給回路４０の降圧チョッパ回路４３を制御するものである。制御部６０は、降圧チョッパ回路４３のスイッチング素子４４のオンデューティを制御することで、電流供給回路４０が光源１０に供給する電流を制御する。
【００２０】
このような光源点灯装置３０に接続される光源１０は、具体的には、降圧チョッパ回路４３の高電位側と低電位側との間に接続されることになる。
【００２１】
図４（ａ）〜（ｄ）は異なる種類の光源１０ａ、１０ｂ、１０ｃ、１０ｄの概略構成を示す構成図である。
図４（ａ）はＬＥＤ１４が２０個接続されたＬＥＤモジュール１２ａを備える光源１０ａ、図４（ｂ）はＬＥＤ１４が１５個接続されたＬＥＤモジュール１２ｂを備える光源１０ｂ、図４（ｃ）はＬＥＤ１４が１０個接続されたＬＥＤモジュール１２ｃを備える光源１０ｃ、図４（ｄ）はＬＥＤ１４が５個接続されたＬＥＤモジュール１２ｄを備える光源１０ｄをそれぞれ示している。なお、それぞれ両端のＬＥＤはＬＥＤが配設された基板を介して口金部１５の端子に電気的に接続されている。
【００２２】
これらの光源１０ａ、１０ｂ、１０ｃ、１０ｄは、備えているＬＥＤ１４の個数が異なるため、それぞれの光源が適当な明るさで点灯するために必要な電流量が異なることがある。光源が点灯する適当な明るさとは、例えば、新品の光源に定格電流を流した場合の光束である。例えば図４に示した光源の例では、光源１０ａは光束３５００ルーメン相当、光源１０ｂは光束２８００ルーメン相当、光源１０ｃは光束２０００ルーメン相当、光源１０ｄは光束５００ルーメン相当が適当な明るさである。
【００２３】
ここで、光源の種類について説明すると、上記のように接続されるＬＥＤ等の発光素子の個数が異なる場合に異なる種類の光源として分類する他に、発光素子の定格電流が異なる場合、接続する発光素子がＬＥＤや蛍光灯といった種類が異なる場合などでも、異なる種類の光源として分類することができる。このような異なる種類の光源においては、負荷の諸元が異なるため、光源１０を適当な明るさで点灯するために必要な電流量が異なり、光源１０の種類に適応した電流量の電流を供給する必要がある。
図４に示した光源１０ａ、１０ｂ、１０ｃ、１０ｄでは、接続されるＬＥＤ１４の個数が異なるので、適正な電流値が異なる場合がある。
【００２４】
また、ＬＥＤ光源の場合は、ＬＥＤの個数が異なっていても同じ定格電流の光源として製造することは可能であるが、その場合でも、使用時間の経過に伴って減少していく光束を補正していく際には、ＬＥＤの個数、すなわち光源１０の種類によって適当な明るさにするために必要な電流量が異なってくる。
【００２５】
このように光源１０の種類が異なると必要な電流量が異なってくるので、光源１０の種類を検出し、適正な電流量を供給することが必要である。光源１０の種類を検出するため、この実施の形態では、光源１０にかかる電圧を検出することで光源１０の種類を判別する。図４に示した光源１０ａ、１０ｂ、１０ｃ、１０ｄでは、接続されるＬＥＤ１４の個数に比例して光源にかかる電圧が異なるので、これを電圧検出部５３により検出して、光源１０の種類を判別する。例えば、１個のＬＥＤ電圧が３．５Ｖの場合、光源１０ａにかかる電圧は７０．０Ｖ、光源１０ｂにかかる電圧は５２．５Ｖ、光源１０ｃにかかる電圧は３５．０Ｖ、光源１０ｄにかかる電圧は１７．５Ｖとなる。なお、１個のＬＥＤ電圧はこれに限定されない。制御部６０は検出した検出電圧に基づいて光源１０の種類に応じて適当な電流を供給するように、電流供給回路４０のスイッチング素子４４のオンデューティを制御することで、適正な電流量の電流を光源に供給することができる。
【００２６】
次に、制御部６０の構成について説明する。制御部６０は、例えば基板等のハードウェア回路、集積回路、あるいは、ＣＰＵ（Ｃｅｎｔｒａｌ  Ｐｒｏｃｅｓｓｉｎｇ  Ｕｎｉｔ）またはＤＳＰ（Ｄｉｇｉｔａｌ  Ｓｉｇｎａｌ  Ｐｒｏｃｅｓｓｏｒ）と、ＣＰＵまたはＤＳＰで実行されるソフトウェア等で構成される。
制御部６０は、Ａ／Ｄ変換部６１と、タイマー６２と、記憶部６３と、処理部６４と、駆動部６５とを備える。
【００２７】
Ａ／Ｄ変換部６１は、電圧検出部５３と電流検出部５４とに接続され、電圧検出部５３で検出する電圧、電流検出部５４で検出する電圧のアナログ信号をデジタル信号に変換する。Ａ／Ｄ変換部６１と電圧検出部５３とは抵抗４８と抵抗４９の間の接続点５１で接続され、Ａ／Ｄ変換部６１と電流検出部５４とは抵抗５０と光源１０の間の接続点５２と接続される。
【００２８】
処理部６４はＡ／Ｄ変換部６１でデジタル信号に変換された電圧検出部５３が検出した電圧値と、抵抗４８、４９の分圧比に基づき光源１０にかかる電圧を算出する。また処理部６４はＡ／Ｄ変換部６１でデジタル信号に変換された電流検出部５４が検出した電圧値と抵抗５０の抵抗値に基づき光源１０に流れる電流値を算出する。そして、これら光源１０にかかる電圧値、光源１０を流れる電流値に基づいて電流供給回路４０が光源１０に供給する電流の電流量を決定し、決定された電流量に基づいて駆動部６５を制御する。
【００２９】
駆動部６５は、処理部６４から制御信号を受け、電流供給回路４０から光源１０に供給される電流量が、処理部６４で決定された電流量となるように、降圧チョッパ回路４３のスイッチング素子４４のオンデューティを制御する。
また、処理部６４には記憶部６３とタイマー６２が接続される。記憶部６３は、例えば不揮発性メモリなどからなり、処理部６４で実行すべき演算プログラムおよび演算に用いられるデータを記憶している。
さらに、記憶部６３には、電圧検出部５３が検出した光源１０にかかる電圧値、すなわち光源の種類に対応する電圧値とその光源に適した電流量のデータが記憶されている。さらに、この記憶部６３に記憶された電流量としては、タイマー６２で計時される光源１０の点灯時間に対応して複数の値が記憶されている。
【００３０】
次に、光源点灯装置３０の動作を説明する。
光源点灯装置３０を点灯させるスイッチ（図示せず）により点灯指示を与えると、交流電源７０から光源点灯装置３０の電流供給回路４０に交流電圧が入力される。電流供給回路４０に入力された交流電圧は、交流電源７０に接続された整流回路４１により直流電圧に整流されて、昇圧チョッパ回路４２に出力される。
昇圧チョッパ回路４２は整流回路４１から入力された直流電圧を昇圧する。また、昇圧チョッパ回路４２には平滑コンデンサが設けられており、平滑コンデンサによって直流電圧を平滑化させて、降圧チョッパ回路４３に電圧を供給する。
【００３１】
降圧チョッパ回路４３は、昇圧チョッパ回路４２から供給された電圧に基づいて光源１０のＬＥＤモジュール１２に定電流を供給する。降圧チョッパ回路４３では、スイッチング素子４４がオンすることにより昇圧チョッパ回路４２から供給される電流が流れ、スイッチング素子４４がオフするとインダクタ４６およびコンデンサ４７の作用により同じ方向に電流が流れ、降圧チョッパ回路４３から光源１０に直流電流が供給される。このとき、スイッチング素子４４は制御部６０に制御されることで、高周波でオン、オフを交互に繰り返し、スイッチング素子４４がオンしている時間の比率であるオンディーティが制御部６０により変更されることで、電流供給回路４０が供給する電流が制御される。
【００３２】
次に、制御部６０の動作を説明する。
まず、電流検出部５４の接続点５２の電位がＡ／Ｄ変換部６１に入力されると、この電位がＡ／Ｄ変換部６１でデジタル信号に変換され、処理部６４に出力される。処理部６４では記憶部６３に記憶された所定の電流量、例えば初期値としての電流量を読出し、Ａ／Ｄ変換部６１から入力した電流量が、読み出した電流量となるように、駆動部６５を制御する。駆動部６５は処理部６４からの制御信号を受け、電流供給回路４０から光源１０に供給される電流量が、処理部６４で決定された電流量となるように、降圧チョッパ回路４３のスイッチング素子４４のオンデューティを制御する。これにより、電流供給回路４０から光源１０に所定の電流量で定電流が供給され、光源１０が安定して点灯する。
【００３３】
次に、電圧検出部５３により光源１０にかかる電圧を検出することにより、光源１０の種類を判別し、判別した種類に応じた電流を供給する動作について説明する。
光源１０にかかる電圧が、抵抗４８と抵抗４９とで分圧され、その間に設けられた接続点５１における電位がアナログ信号としてＡ／Ｄ変換部６１に伝えられる。Ａ／Ｄ変換部６１は、入力されたアナログの電圧値をデジタル信号に変換して、処理部６４に出力する。なお、電圧検出部５３として２つの抵抗を用いているが、これは光源１０にかかる電圧がＡ／Ｄ変換部６１に入力できる電圧よりも大きいため、抵抗４８及び抵抗４９を設けることにより光源１０にかかる電圧を分圧するためであり、Ａ／Ｄ変換部６１の入力耐圧が許せば、分圧しない電圧を入力してもよい。
そして、Ａ／Ｄ変換部６１でデジタル信号に変換された抵抗４８と抵抗４９との間の接続点５１における電位が処理部６４に入力され、この電位に基づき光源１０にかかる電圧が算出される。すなわち、抵抗４８と抵抗４９との間の接続点５１における電位、言いかえれば抵抗４９にかかる電圧は、光源１０にかかる電圧に比例するので、この接続点５１における電位と、抵抗４８と抵抗４９との分圧比とから、光源１０にかかる電圧を算出するものである。
【００３４】
次に、処理部６４は記憶部６３を参照し、算出した光源１０にかかる電圧に対応する電流量を読み出し、これを電流供給回路４０が供給する電流の電流量と決定する。
処理部６４は、この決定された電流量に基づき、電流検出部５４により検出される光源１０を流れる電流量が、決定された電流量になるように、駆動部６５を制御する。これにより、光源１０の種類に応じた適切な電流量の定電流が光源１０に供給され、光源１０が安定点灯する。
【００３５】
次に、光源１０の経年劣化等の要因による光束の変化を補正する動作について説明する。
光源１０の経年劣化等の要因により光源１０から出力される光束は使用時間の経過とともに減少してしまう。このような光束の減少を抑制するような補正をするため、光源点灯装置３０では、点灯時間の経過に伴って光源１０に供給する電流の電流量を増加させて光源１０から出力される光束を一定に保つ照度補正制御が行われる。この照度補正により、光源の明るさを一定に保つことができる。
この照度補正の動作としては、まず、上述のようにして光源１０が点灯すると、タイマー６２は光源１０が点灯した時間を計時する。処理部６４は、この光源１０の点灯時間と記憶部６３に記憶されている過去の光源１０の累積点灯時間とを加算し、累積点灯時間として再度記憶部６３に記憶する。
累積点灯時間は、１つの光源１０が点灯した時間の合計の時間である。この光源１０の点灯時間は、光源点灯装置３０が同じ種類の光源１０である場合には累積点灯時間として加算されていくが、異なる種類の光源１０に交換された場合には、累積点灯時間がリセットされる。なお、使用者が手動で累積点灯時間をリセットすることもできる。
【００３６】
記憶部６３は、電圧検出部５３が検出する電圧とタイマー６２が計時する点灯時間を累積した累積点灯時間とに対応した複数の電流量を記憶している。電圧検出部５３が検出する電圧とは、光源の種類に適応した電流量の電流が供給された場合に光源に電圧検出部５３で検出されると想定される電圧であり、予め範囲をもって設定された電圧である。記憶部６３が記憶する点灯時間と複数の電流量との対応を示すテーブルの例を図５に示す。記憶部６３には、検出電圧毎に光源１０の累積点灯時間に対応する電流量が記憶されている。光源１０の種類が異なると光源１０にかかる電圧が異なるため、光源１０にかかる電圧を検出することにより光源１０の種類がわかる。したがって、このテーブルには光源１０にかかる電圧ごと、言い換えれば光源１０の種類ごとに、適した電流量が記憶されている。
さらに、記憶部６３に記憶される電流量は、光源１０の種類ごとに、累積点灯時間に応じて複数段階の値が記憶されている。光源１０の経年劣化等の要因により光源１０から出力される光束が減少してしまうことを抑制するため、点灯時間の経過に伴い徐々に電流量を増加させていくことで一定の光束を維持できる。
【００３７】
なお、図５に示した電流量は、定格電流を１００％としたときの、電流供給回路４０が出力する電流の比率である出力電流比率として記憶されているが、電流量の値そのものを電流値として記憶させてもよい。
【００３８】
時間経過に対する光束の減少のしかたである光束減衰率は、光源１０の種類によって異なる。例えば、図４（ａ）の光源１０ａと図４（ｄ）の光源１０ｄとでは、光源１０ａの方が光束減衰率が大きい。光束が減少する原因には、ＬＥＤ１４のジャンクション温度が関係しており、ジャンクション温度が高くなるにつれて、光束減衰率が大きくなる。光源１０ａと光源１０ｄとでは、光源１０ｄに比べて光源１０ａの方がＬＥＤ１４の個数が多いため、ＬＥＤ１４のジャンクション温度が高くなり光束減衰が大きくなる。このように、光源１０の種類によって光束減衰率が異なるため、光源１０の種類に適応して光束を適切に保つ電流量を供給する必要がある。
【００３９】
図５では、電圧検出部５３が検出した検出電圧が８０Ｖ以上の場合、６０Ｖ以上かつ８０Ｖ未満の場合、４０Ｖ以上かつ６０Ｖ未満の場合、４０Ｖ未満の場合のそれぞれに対して、累積点灯時間に対応する電流量が記憶されている。この電流量は、光源１０の点灯時間が長いほど大きい。
【００４０】
例えば、検出電圧が８０Ｖ以上の場合、累積点灯時間が０時間のときは、出力電流比率が７０％であり、累積点灯時間が長いほど出力電流比率は増加して、累積点灯時間が４０００時間以上のときは出力電流比率が１００％になる。検出電圧が４０Ｖ未満の場合、累積点灯時間が０時間のときは出力電流比率が７６％であり、累積点灯時間が長いほど出力電流比率は増加して、累積点灯時間が４０００時間以上のときは出力電流比率が１００％になる。
【００４１】
処理部６４は、記憶部６３に記憶されたテーブルを参照して、Ａ／Ｄ変換部６１から出力された電圧検出部５３が検出した検出電圧に対応する出力電流比率のうち、タイマー６２が計時した点灯時間を加算した累積点灯時間に対応する出力電流比率を読み出して、電流供給回路４０が供給する電流の電流量として決定し、電流検出部５４により検出した電流、すなわち電流供給回路４０が光源１０に供給する電流を、決定した電流量と同じになるように、駆動部６５を制御する。
【００４２】
次に、処理部６４の詳細な動作を説明する。図６に示すフローチャートに基づいて説明する。
交流電源７０に照明器具２０が接続されると、まず、処理部６４はステップＳ１で、照明装置１００を点灯させる点灯指示があるか否かを確認する。点灯指示は、使用者が照明装置１００に接続されたスイッチをオンする操作や、リモコン等の外部機器から送信された信号を受信することで入力される。ステップＳ１で点灯指示ありでない場合は、ステップＳ１を繰り返す。
【００４３】
点灯指示がある場合はステップＳ２にすすみ、光源点灯装置３０の動作履歴があるか否かを確認する。光源点灯装置３０の動作履歴は、照明装置１００が交流電源７０に接続された後に光源点灯装置３０が駆動した場合に記憶部６３に記憶される履歴である。照明装置１００が交流電源７０に接続された後、初めて光源点灯装置３０を駆動する場合は、動作履歴が記憶されていないため、光源点灯装置３０の動作履歴ありではない（ステップＳ２：Ｎｏ）。また、光源点灯装置３０の動作履歴がある場合でも、記憶部６３の動作履歴がリセットされた場合には、動作履歴が記憶されていないため、光源点灯装置３０の動作履歴ありではない（ステップＳ２：Ｎｏ）。
【００４４】
ステップＳ２で光源点灯装置３０の動作履歴がある場合、ステップＳ３に進み、処理部６４は記憶部６３に記憶された検出電圧及び累積点灯時間を読みだす。記憶された検出電圧及び累積点灯時間とは、光源点灯装置３０の過去の動作履歴において記憶された検出電圧及び累積点灯時間であり、点灯指示の直前の点灯動作における検出電圧及び累積点灯時間が読み出される。
【００４５】
ステップＳ２で光源点灯装置３０の動作履歴がありでない場合、ステップＳ４に進み、処理部６４は記憶部６３に予め記憶された光源電圧の初期値を検出電圧として読み出し、予め記憶された累積点灯時間の初期値を累積点灯時間として読み出す。
【００４６】
ステップＳ３又はステップＳ４で検出電圧及び累積点灯時間を読みだすと、ステップＳ５に進み、処理部６４は記憶部６３のテーブルを参照して検出電圧及びタイマーが計時した点灯時間に対応する電流量を決定する。
【００４７】
ステップＳ５で電流量が決定されると、ステップＳ６に進み、処理部６４は、電流供給回路４０が光源１０に供給する電流が、決定された電流量と同じになるように、駆動部６５を制御する。駆動部６５は電流供給回路４０のスイッチング素子４４のスイッチングを繰り返し、スイッチング素子４４のオンデューティを制御して適切な電流量で光源１０を点灯させる。
【００４８】
ステップＳ６で光源１０が点灯されると、ステップＳ７に進み、電圧検出部５３により光源１０にかかる電圧を検出する。
【００４９】
ステップＳ７で光源１０にかかる電圧が検出されると、ステップＳ８に進み、処理部６４は記憶部６３を参照して、記憶されたテーブルのうち検出電圧に対応する部分のテーブルを選択する。光源１０が異なる種類の光源１０に交換された場合、検出電圧が異なるため処理部６４が光源１０の種類を特定して検出電圧に対応する部分のテーブルを選択することができる。
【００５０】
ステップＳ８でテーブルが選択されると、ステップＳ９に進み、累積点灯時間のリセットが必要か否かを確認する。累積点灯時間のリセットは光源１０を交換した場合に必要な動作であり、リセットが必要か否かは、光源１０が異なる種類の光源に交換されたか否か、又はタイマー６２のリセット操作があるか否かで決まる。そのため、電圧検出部５３に検出された検出電圧の変化、又はリセット操作に基づいて決定される。光源１０が異なる種類の光源に交換された場合と、使用者によりタイマー６２がリセットされた場合にはステップＳ１０に進み、累積点灯時間をリセットして新たに計時を開始し、ステップＳ１１に進む。このステップＳ９、Ｓ１０が、累積点灯時間を予め設定された時間にリセットさせるリセット手段であり、リセットする時間は例えば０時間である。一方、光源１０が交換されておらず、リセット操作もない場合は累積点灯時間をリセットする必要が無いと判断され、ステップＳ１１に進む。ステップＳ１１では、光源１０の点灯時間を加算して累積点灯時間を算出する。
なお、光源１０が同じ種類の新しい光源１０に交換された場合には累積点灯時間をリセットする必要があるが、検出電圧が同じであるため光源１０が交換されたことを検出することができず、累積点灯時間がリセットされない。光源１０が同じ種類の光源１０に交換された場合に累積点灯時間をリセットさせるためには、使用者がタイマー６２をリセット操作するか、或いは光源１０が着脱されたことを検知するといった構成をとることにより累積点灯時間をリセットすることができる。
【００５１】
ステップＳ１１で累積点灯時間を算出すると、ステップＳ１２に進み、処理部６４は記憶部６３を参照して、ステップＳ８で選択された検出電圧に対応するテーブルから、算出された累積点灯時間に対応する出力電流比率を読みだし、読みだした出力電流比率に基づき電流供給回路４０が供給する電流の電流量を決定する。
【００５２】
次にステップＳ１３において、電流供給回路４０から光源１０に供給する電流が、ステップＳ１２で決定された電流量となるように、駆動部６５を制御する。駆動部６５は電流供給回路４０のスイッチング素子４４を決定された電流量を流すオンデューティでスイッチングを繰り返させて光源１０を点灯させる。
【００５３】
その後、ステップＳ１４に進み、消灯指示があるまで、ステップＳ１１からステップＳ１４までを繰り返す。
【００５４】
消灯指示がある場合は、ステップＳ１５に進み、処理部６４は電流供給回路４０に電流の供給を停止することを駆動部６５に出力する。電流供給回路４０のスイッチング素子４４はオフ状態となり電流が供給されないため、光源１０は消灯してステップＳ１に戻る。なお、ステップＳ１５で消灯された場合は、光源１０が点灯していたときの検出電圧及び累積点灯時間が記憶部６３に記憶され、再び点灯動作する際、ステップＳ３で読みだされる。
【００５５】
以上のような実施の形態１に係る光源点灯装置３０によれば、電圧検出部５３が光源１０にかかる電圧を検出し、検出した電圧に基づいて制御部６０が電流供給回路４０から光源１０に供給する電流を制御する。これにより、電圧検出部５３が検出した光源１０にかかる電圧により光源１０の種類が特定できる。特定された光源１０の種類に適応した電流量で制御部６０が電流供給回路４０から光源１０に供給される電流を制御することができるため、使用者がスイッチを操作して光源１０を選択することなく、光源１０の種類に適応した電流量の電流を供給できる。
また、記憶部６３は、電圧検出部５３が検出する電圧とタイマー６２が計時する点灯時間を累積した累積点灯時間とに対応した複数の電流量を記憶し、処理部６４は記憶部６３を参照して電圧検出部５３が検出した検出電圧及びタイマー６２が計時した点灯時間に対応する電流量を出力する。これにより、電圧検出部５３が検出した光源１０にかかる電圧により光源１０の種類に適応した電流の増加量を決めて光束を一定に保つことができる。
また、使用者がスイッチを操作して光源１０を選択することなく、光源１０の種類に適応した電流量の電流を供給できるため、使用者が誤って光源１０の種類を選択することが無く、光源１０の種類に適応した電流量の電流を供給することができる。光源１０の種類に適応した電流量の電流を供給することにより、光源１０が無駄に電力を消費することを抑えることや、不適切な電流が供給されて光源１０が故障することを抑えることができる。加えて、光源１０の種類によって異なる光束減衰率に対応して、光源１０の種類に適応して光束を適切に保つ照度補正制御を、使用者がスイッチを操作して光源１０を選択することなく行うことができる。
【００５６】
また、光源１０の電圧を検出する電圧検出部５３を電流供給回路４０に設けることで構成されるため、光源１０の照度を検出するセンサ等を設け光源１０の照度に基づいて電流供給回路４０が供給する電流の電流量を制御する場合よりもコストを抑制して製造することができる。
また、本発明に係る光源点灯装置３０は異なる種類の光源１０に共通して利用できるため、光源１０の種類毎に異なる光源点灯装置３０を製造する必要がない。
【００５７】
なお、実施の形態１では電圧検出部５３が２つの抵抗で構成され、電流検出部５４が１つの抵抗で構成されると記載したが、これに限らず、３つ以上または２つ以上の抵抗を用いてもよい。また、抵抗を用いる構成でなくても光源１０にかかる電圧を検出できる構成であればよい。
また、光源点灯装置３０は筐体２１の内部に設けられる構成としたが、交流電源７０と光源１０と接続される構成であればよい。
また、異なる種類の光源１０としてＬＥＤ１４の個数が異なる光源１０ａ〜１０ｄを記載したが、異なる種類の光源１０とは光源１０にかかる電圧が異なる場合であればよく、任意の個数のＬＥＤ１４を直列接続又は並列接続されるもの、ＬＥＤ１４の種類が異なるもの、またはＬＥＤ１４以外の有機ＥＬ等の光源を使用するものでもよい。
また、照明装置１００は長尺状としたが、形状はこれに限らず円形等の形状でもよい。
また、記憶部６３に記憶された検出電圧、累積点灯時間及び出力電流比率は、取り付ける光源１０によって適切な値を設定するようにすればよい。
【産業上の利用可能性】
【００５８】
本発明にかかる光源点灯装置は、家庭用、業務用等の光源点灯装置として広く利用することができる。
【符号の説明】
【００５９】
１０、１０ａ、１０ｂ、１０ｃ、１０ｄ  光源、１１  カバー、１２、１２ａ、１２ｂ、１２ｃ、１２ｄ  ＬＥＤモジュール、１３  基板、１４  ＬＥＤ、１５  口金部、２０  照明器具、２１  筐体、２２  ソケット、３０  光源点灯装置、４０  電流供給回路、４１  整流回路、４２  昇圧チョッパ回路、４３  降圧チョッパ回路、４４  スイッチング素子、４５  ダイオード、４６  インダクタ、４７  コンデンサ、４８、４９、５０  抵抗、５１、５２  接続点、５３  電圧検出部、５４  電流検出部、６０  制御部、６１  Ａ／Ｄ変換部、６２  タイマー、６３  記憶部、６４  処理部、６５  駆動部、７０  交流光源、１００照明装置
【図１】
2018181574.tif 000003
【図２】
2018181574.tif 000004
【図３】
2018181574.tif 000005
【図４】
2018181574.tif 000006
【図５】
2018181574.tif 000007
【図６】
2018181574.tif 000008